(57)【特許請求の範囲】
【請求項１】
遊技機の外枠の内側に、外枠を構成する平板と平行に、基板を装着可能な基板溝（３０）を形成すると共に、前記基板溝（３０）の上下端に装着溝（３０ａ、３０ｂ）を形成し、
前記装着溝（３０ａ、３０ｂ）に装着の基板を覆うことが可能で回動自在のカバー体（５０）を基板溝（３０）内に設け、前記カバー体（５０）には前記装着溝（３０ａ、３０ｂ）に装着した基板と係止可能な係止爪（５２）が形成されていることを特徴とする遊技機。
【発明の詳細な説明】
【０００１】
【発明の属する技術分野】
本発明は、遊技機の制御等をなす基板の取付けに関する。
【０００２】
【従来の技術】
従来の遊技機は、よく知られているように、主要構成部品を示す図８、遊技機の裏面を示す図９を参照して説明する。
この遊技機は、前面枠６を回動具６ａ、６ｂを介して外枠１に開閉可能に取付け、その前面枠６に裏枠３を組み付けた後に、機構板２を裏枠３に開閉可能に組み付けてあり、その裏枠３に遊技盤４が着脱自在に取付けてある。
一方、前面枠６の前側にガラス枠７を取付け、この前面枠６に開閉自在に取りつけの前板（図示略）に遊技球を貯留し、且つ遊技球を発射位置に供給する上皿８を固定し、上皿８の下に下皿９を前面枠６に取り付けて、発射装置５ａ及び操作ハンドル５を取り付けて完了する。
【０００３】
又、前記遊技盤４の表面には、よく知られているように、ほぼ中央に図柄表示器１５が配置してあると共に、各所に普通入賞口や前記図柄表示器の図柄を変動させる始動口等が配設されている。
そして、前記始動口に遊技球が入賞すると前記図柄表示器１５に図柄変動を開始する信号や、普通入賞口に入賞すると賞品球を排出するために払出制御基板１１にその旨の信号を出力する主制御基板（図示略）を格納の制御箱２１が、前記機構板２の裏面に取り付けてあるし、図柄表示器１５の裏面に付設のカバー体１３には大当たり等の信号を取り出す情報出力端子が設置してあると共に、そのカバー体１３の下には前記払出制御基板１１が配置してある。
又、遊技機の裏面右上には電源基板１６が配置してあり、その左側には賞品球（遊技球）の貯留槽１７、それに連結の流下樋１８と賞品球の払出装置２０が配置してあると共に、前記制御箱２１の右下には前記各入賞口からの入賞球を１球毎排出する賞品球排出装置１９が設置してある。
【０００４】
【発明が解決しようとする課題】
前記のように、遊技機の裏面には種々の部品が配置され、特に、遊技内容の多様化に伴い出力端子数が増加すると共に、それらの基板が大型化している。そのため、例えば、前記払出制御基板１１はカバー体１３の下で他の機器の上に重ねた状態で取り付ける必要が生じている。
そこで、本発明は、基板の取付けについて言及し、遊技機の裏面を有効に利用できる遊技機を提供するものである。
【０００５】
【課題を解決するための手段】
請求項１の遊技機は、遊技機の外枠の内側に、外枠（１０）を構成する平板（１０ａ、１０ｂ）と平行に基板を装着可能な基板溝（３０）が形成してあると共に、基板溝（３０）の上下端には装着溝（３０ａ、３０ｂ）が形成してある。
また、基板溝（３０）内には、前記装着溝（３０ａ、３０ｂ）に装着した基板を覆うことが可能で回動自在のカバー体（５０）が取り付けてある。そして、このカバー体（５０）には、装着溝（３０ａ、３０ｂ）に装着の基板と、係止可能な係止爪（５２）が形成してあるので、簡便な構成で基板の保護を図ることができる。
【０００６】
【発明の実施の形態】
（第１の実施の形態）
本発明の実施の形態を、遊技機を構成する主部品を示す図１、基板（本実施の形態では払出制御基板１１）の取付けを示す図２、構成部品の姿態等を示す図３を参照して説明する。尚、従来と同じ部品には同じ符号を附す。
この遊技機（パチンコ機）は、前面枠６を回動具６ａ、６ｂを介して外枠１０に開閉可能に取付け、その前面枠６に裏枠３を組み付けた後に、機構板２を裏枠３に開閉可能に組み付けてあり、その裏枠３に遊技盤４が着脱自在に取付けてある。
一方、前面枠６の前側にガラス枠７を取付け、この前面枠６に開閉自在に取りつけの前板（図示略）に遊技球を貯留し、且つ遊技球を発射位置に供給する上皿８を固定し、上皿８の下に下皿９を前面枠６に取り付けて、発射装置５ａ及び操作ハンドル５を取り付けて完了する。
【０００７】
外枠１０は、縦平板１０ａと横平板１０ｂを組み合せて形成し、その縦平板１０ａの内側には、図２に示すように、前面枠６の方向から後ろ側に向けて、払出制御基板１１を平旦に装着可能、即ち、平板１０ａ（１０ｂ）と平行に装着可能に、基板溝３０が形成してある。
尚、この基板溝３０は、払出制御基板１１の基台１２の大きさに合わせて形成してあると共に、深さは回動可能な裏枠３に邪魔にならないように形成するが、払出制御基板１１に被せるカバー体１３を取り付けたとき、外枠１０の厚みと同じ程度となるのが望ましい。
【０００８】
平板状の払出制御基板１１には、ＣＰＵ、ＲＡＭや、その制御ソフトを記憶のＲＯＭ等の制御素子が搭載されていると共に、主制御基板等と信号の授受を行う接続端子１１ａが設けてある。尚、この払出制御基板１１は、遊技盤を交換しても同様な制御を行うので交換する必要がない。
又、払出制御基板１１の基台１２には、その払出制御基板１１のビス孔３１ａに対向してビス孔３１ｂが穿設してあると共に、基板溝３０には基台１２の端部１２ａを嵌合装着する装着溝３０ａ、３０ｂが形成してある。尚、この装着溝３０ａ、３０ｂの詳細は図４を参照のこと。
このため、払出制御基板１１は基台１２にビス止めし、基台１２は装着溝３０ａ、３０ｂに装着して外枠１０に固定する。
尚、装着溝３０ａ、３０ｂを形成しない場合には、払出制御基板１１は基台１２を介して外枠１０にビスで固定する。
【０００９】
又、図３は、合成樹脂（透明又は不透明）のカバー体１３と、払出制御基板１１がビスを介して基台１２に固定した姿態と、そのカバー体１３を払出制御基板１１に装着した姿態である。そして、前記払出制御基板１１の右端には接続端子１１ａが設けてあり、その接続端子１１ａを除いて覆うことが可能に、開口部３４を形成の合成樹脂で製作のカバー体１３が、弾性作用によって、払出制御基板１１に嵌合装着して、素子等を保護する。
【００１０】
以上によって、払出制御基板１１は、外枠１０の内側に形成の基板溝３０に横平板１０ｂと平行に基台１２とカバー体１３を介して装着され、且つ、望ましくは、カバー体１３を装着した状態で、外枠１０の厚みとほぼ同じであると、従来の外枠と同じ姿態になる。
そのため、外枠１０の内側に装着された払出制御基板１１は、突出が僅かな状態（或いは突出がない状態）であるため、他の部品に邪魔にならず、且つ、遊技盤を交換しても再使用できる利益が生ずるし、払出制御基板１１を遊技盤の裏面に設置する必要がないので、遊技盤の裏面の有効利用ができる。
【００１１】
尚、払出制御基板１１の基板溝３０への取付けは、基台１２を介さずに取り付けてもよいし、カバー体１３も必ずしも必要でないことはいうまでもない。
又、払出制御基板１１の取付け位置は、外枠１０の縦平板１０ａの他、横平板１０ｂに取り付けてもよいし、他の部品の邪魔にならない限り、基板溝３０を形成する必要はないので、直接、外枠１０の内側に払出制御基板１１を、或いは基台１２を介して取り付けてもよい。
【００１２】
（第２の実施の形態）
本実施の形態を全体斜視図を示す図４、構成部品を示す図５、Ａ〜Ａ断面で払出制御基板１１の装着前を示す図６（Ａ）、払出制御基板の装着後を示す図６（Ｂ）を参照して説明すると、外枠１０の縦平板１０ａの内側には、前記第１実施の形態と同様に基板溝３０が形成してある。又、この基板溝３０には、払出制御基板１１を嵌合装着可能な装着溝３０ａ、３０ｂが形成してあって、その払出制御基板１１は、装着溝３０ａ、３０ｂに装着することによって固定可能にしてある。
【００１３】
又、払出制御基板１１を外枠の縦平板１０ａと平行に装着したとき、払出制御基板１１の保護を図るために、接続端子１１ａを覆わない大きさの合成樹脂（透明又は不透明）のカバー体５０が開閉自在に取り付けてある。
この開閉機構は、カバー体５０の後両端部には回動孔５１ａを形成し、それらの回動孔５１ａに対応する基板溝３０に軸棒５１を立設して形成してある。そして、カバー体５０の装脱着は弾性体の弾性作用によって簡便に行うことができると共に、装着することによって開閉可能となる。
【００１４】
又、このカバー体５０の前端部には係止爪５２が形成してあって、カバー体５０を閉鎖したとき、図６（Ｂ）に示すように、前記払出制御基板１１に係止してカバー体５０の閉鎖状態を維持し、一方、合成樹脂の弾性作用によって係止爪５２を離脱して、カバー体５０を開けることが可能になっている。
この様に、係止爪５２は払出制御基板１１に係止するので、払出制御基板１１を装着溝３０ａに装着して固定可能に形成するのが望ましい。
又、このカバー体５０は、前記払出制御基板の接続端子１１ａを除く姿態に形成してあり、カバー体５０を閉鎖した状態でケーブルの接続が可能になっている。
【００１５】
以上のように、払出制御基板１１を装着溝３０ａ、３０ｂに装着すると、その払出制御基板１１は固定されると共に、更に、カバー体５０を閉鎖することによって、係止爪５２を介してカバー体５０が閉鎖状態を維持可能である。
従って、払出制御基板１１は、カバー体５０で保護された状態で、外枠の内側に形成の基板溝３０に装着されるので、簡便な構成で、払出制御基板１１の保護を図ることができると共に、他の部品に邪魔にならず、且つ、遊技盤を交換しても再使用できる利益が生ずるし、払出制御基板１１を遊技盤の裏面に設置する必要がないので、遊技盤の裏面の有効利用ができる。
尚、基板溝３０は、縦平板１０ａの他、横平板１０ｂに形成してもよいことはいうまでもないし、払出制御基板１１及び他の部品の配置によって、基板溝３０を形成することなく取り付けてもよい。
【００１６】
また、図７は他の構成のカバー体５０であって、このカバー体５０は前記接続端子１１ａを覆うことが可能な大きさである。そのために、このカバー体５０には、接続端子１１ａ用の開口部５３が形成してある。
この様に、カバー体５０（１３）は払出制御基板１１全体を覆うように形成してもよいが、この場合、接続端子１１ａ用の開口部３４を形成する必要があり、何れを選定するかは用途によって決定することはいうまでもない。
【００１７】
前記各実施の形態では基板として払出制御基板１１について説明したが、電源基板１６（図９参照）や枠ランプ等を制御するランプ制御基板（図示略）や遊技を制御する主制御基板（図示略）等、でき得れば、遊技盤４を交換しても再利用可能な各種の基板等や高価な制御基板を外枠１０の内側に取り付けることが望ましい。
又、基板溝３０を複数個設けるか、基板溝３０に複数の基板を取り付けることによって、更に、遊技機の裏面を有効に利用することができると共に、遊技盤４等を交換しても、それらの基板が再利用できることによって、資源の有効利用を図ることができるし、再度取り付ける手間暇を省略できる。
尚、図柄表示器１５に図柄変動を開始する信号や、普通入賞口に入賞すると賞品球を排出するために払出制御基板１１にその旨の信号を出力する主制御基板（図示略）を外枠に１枚で装着できないときには、複数枚で構成して、外枠に装着することは有意義である。
【００１８】
【発明の効果】
請求項１の遊技機は、基板溝（３０）内に装着溝（３０ａ、３０ｂ）に装着した基板を覆うことが可能で回動自在のカバー体（５０）が取り付けてあると共に、このカバー体（５０）には、装着溝（３０ａ、３０ｂ）に装着の基板と係止可能な係止爪（５２）が形成してあるので、簡便な構成で基板の保護を図ることができる。
【図面の簡単な説明】
【図１】遊技機を構成する主部品を示す図である。
【図２】第１の実施の形態における基板の取付けを示す図である。
【図３】第１の実施の形態におけるカバー体、基板と基台の姿態図、及び、基板を取り付けた全体図である。
【図４】第２の実施の形態における基板の取付けを示す図である。
【図５】第２の実施の形態におけるカバー体、基板と基台の姿態図、及び、基板を取り付けた全体図である。
【図６】（Ａ）は基板の装着前のＡ〜Ａ断面図、（Ｂ）は基板を装着後のＡ〜Ａ断面図である。
【図７】他のカバー体を用いたときの構成部品図である。
【図８】従来の遊技機を構成する主要部品図である。
【図９】従来の遊技機の裏面図である。
【符号の説明】
１０  外枠
１１  払出制御基板
１２  基台
１３  カバー体
３０  基板溝
３０ａ、３０ｂ  装着溝
５０  カバー体
５２  係止爪
【図１】
0003596485.tif 000002
【図２】
0003596485.tif 000003
【図３】
0003596485.tif 000004
【図４】
0003596485.tif 000005
【図５】
0003596485.tif 000006
【図６】
0003596485.tif 000007
【図７】
0003596485.tif 000008
【図８】
0003596485.tif 000009
【図９】
0003596485.tif 000010